(57)【要約】【課題】ＵＣＣ−広告スクリプトを用いた広告方法およびその装置を提供する。【解決手段】ＵＣＣ−広告スクリプトを用いた広告方法は、ＵＣＣが既に保存されたサーバ側に、任意のＵＣＣの再生を要請する信号を送信するステップと、要請した任意のＵＣＣの再生が終了したか否かを判断するステップと、前記結果が終了したと判断された場合に、任意のＵＣＣに含まれたＵＣＣ−広告スクリプトを用いて、広告コンテンツが既に保存されたサーバ側に、任意の広告コンテンツの再生を要請する信号を送信するステップと、要請した任意の広告コンテンツを再生するステップとを含み、ＵＣＣ−広告スクリプトは、ＵＣＣの再生が終了した後に、広告コンテンツが自動的に再生されるように制御する命令信号を有することを特徴とする。【選択図】図１
2008282401.tif 000002
【特許請求の範囲】
【請求項１】
ＵＣＣが予め保存されたサーバに、任意のＵＣＣの再生を要請する信号を送信するステップと、
前記要請した任意のＵＣＣの再生が終了したか否かを判断するステップと、
前記要請した任意のＵＣＣの再生が終了したと判断される場合に、前記任意のＵＣＣに含まれたＵＣＣ−広告スクリプトを用いて、広告コンテンツが予め保存されたサーバに、任意の広告コンテンツの再生を要請する信号を送信するステップと、
前記要請した任意の広告コンテンツを再生するステップと、を含み、
前記ＵＣＣ−広告スクリプトが、ＵＣＣの再生が終了した後に、広告コンテンツが自動的に再生されるように制御する命令信号を有することを特徴とするＵＣＣ−広告スクリプトを用いた広告方法。
【請求項２】
前記要請した任意の広告コンテンツが、広告露出に寄与した程度を各ユーザ別に計算するステップと、
前記広告露出に寄与した程度に比例して、広告収益を前記各ユーザに割り当てるステップと、
をさらに含むことを特徴とする請求項１に記載のＵＣＣ−広告スクリプトを用いた広告方法。
【請求項３】
前記要請した任意のＵＣＣの再生が終了したと判断される場合に、前記任意のＵＣＣに含まれたＵＣＣ−広告スクリプトを用いて、広告コンテンツが予め保存されたサーバに、任意の広告コンテンツの再生を要請する信号を送信する前記ステップは、
前記任意のＵＣＣのタグ情報を読み出すステップと、
前記読み出されたタグ情報と同一又は類似したキーワードを有する広告コンテンツを検索するステップと、
前記検索された特定コンテンツの再生を要請する信号を送信するステップと、
を含むことを特徴とする請求項１に記載のＵＣＣ−広告スクリプトを用いた広告方法。
【請求項４】
前記タグ情報は、
前記ＵＣＣのタイトル、製作者、出演者、又は登録時間のうちの少なくとも１つ以上を含むことを特徴とする請求項３に記載のＵＣＣ−広告スクリプトを用いた広告方法。
【請求項５】
前記要請した任意の広告コンテンツが、広告露出に寄与した程度を各ユーザ別に計算する前記ステップは、
前記任意の広告コンテンツの再生回数又はスクラップ回数のうちの少なくとも１つ以上を用いて、前記寄与した程度を計算することを特徴とする請求項２に記載のＵＣＣ−広告スクリプトを用いた広告方法。
【請求項６】
前記要請した任意の広告コンテンツが、広告露出に寄与した程度を各ユーザ別に計算する前記ステップは、
特定のウェブサイト上で前記広告コンテンツが再生された回数と、前記特定のウェブサイトからＵＣＣがスクラップされた他のすべての下位ウェブサイト上で前記広告コンテンツが再生された回数とを加算して、前記ユーザの寄与度を計算することを特徴とする請求項２に記載のＵＣＣ−広告スクリプトを用いた広告方法。
【請求項７】
前記要請した任意の広告コンテンツが、広告露出に寄与した程度を各ユーザ別に計算する前記ステップは、
特定のウェブサイト上で前記広告コンテンツが再生された回数と、前記特定のウェブサイトからＵＣＣが直接スクラップされた下位ウェブサイト上で前記広告コンテンツが再生された回数とを加算する方法及び前記特定のウェブサイトからＵＣＣがスクラップされた回数と、前記特定のウェブサイトからＵＣＣが直接スクラップされた下位ウェブサイトからＵＣＣがスクラップされた回数とを加算する方法のうち、少なくとも１つ以上を用いて、前記ユーザの寄与度を計算することを特徴とする請求項２に記載のＵＣＣ−広告スクリプトを用いた広告方法。
【請求項８】
請求項１から請求項７のいずれか一項に記載のＵＣＣ−広告スクリプトを用いた広告方法をコンピュータに実行させるためのプログラムを記録したコンピュータ読み取り可能な記録媒体。
【請求項９】
ＵＣＣが予め保存されたサーバ側、任意のＵＣＣの再生を要請する信号を送信する第１送信部と、
前記要請した任意のＵＣＣの再生が終了したか否かを判断する判断部と、
前記要請した任意のＵＣＣの生成が終了したと判断される場合に、前記任意のＵＣＣに含まれたＵＣＣ−広告スクリプトを用いて、広告コンテンツが予め保存されたサーバに、任意の広告コンテンツの再生を要請する信号を送信する第２送信部と、
前記要請した任意の広告コンテンツを再生する再生部と、を含み、
前記ＵＣＣ−広告スクリプトは、ＵＣＣの再生が終了した後に、広告コンテンツが自動的に再生されるように制御する命令信号を有することを特徴とするＵＣＣ−広告スクリプトを用いた広告装置。
【請求項１０】
前記要請した任意の広告コンテンツが、広告露出に寄与した程度を各ユーザ別に計算する計算部と、
前記広告露出に寄与した程度に比例して、広告収益を前記各ユーザに割り当てる制御部と、
をさらに含むことを特徴とする請求項９に記載のＵＣＣ−広告スクリプトを用いた広告装置。
【請求項１１】
前記計算部は、
前記任意の広告コンテンツの再生回数又はスクラップ回数のうちの少なくとも１つ以上を用いて、前記寄与した程度を計算することを特徴とする請求項１０に記載のＵＣＣ−広告スクリプトを用いた広告装置。
【請求項１２】
前記計算部は、
特定のウェブサイト上で前記広告コンテンツが再生された回数と、前記特定のウェブサイトからＵＣＣがスクラップされた他のすべての下位ウェブサイト上で前記広告コンテンツが再生された回数とを加算して、前記ユーザの寄与度を計算することを特徴とする請求項１０に記載のＵＣＣ−広告スクリプトを用いた広告装置。
【請求項１３】
前記計算部は、
特定のウェブサイト上で前記広告コンテンツが再生された回数と、前記特定のウェブサイトからＵＣＣが直接スクラップされた下位ウェブサイト上で前記広告コンテンツが再生された回数とを加算する方法及び前記特定のウェブサイトからＵＣＣがスクラップされた回数と、前記特定のウェブサイトからＵＣＣが直接スクラップされた下位ウェブサイトからＵＣＣがスクラップされた回数とを加算する方法のうち、少なくとも１つ以上を用いて、前記ユーザの寄与度を計算することを特徴とする請求項１０に記載のＵＣＣ−広告スクリプトを用いた広告装置。
【発明の詳細な説明】
【技術分野】
【０００１】
本発明は、インターネットを用いた広告方法およびその装置に関し、より詳細には、使用者製作コンテンツ（Ｕｓｅｒ  Ｃｒｅａｔｅｄ  Ｃｏｎｔｅｎｔｓ：以下、「ＵＣＣ」と称す）−広告スクリプトを用いた広告方法およびその装置に関する。
【背景技術】
【０００２】
従来、新聞、パンフレット、物理的看板、ポスターなどで特定の商品を広告するのが一般的であった。しかしながら、最近では、パソコンの発展とインターネットの高速な普及により、インターネットを用いた広告システムが大きな脚光を浴びている。このようなインターネット広告の代表的な例として、バナー（ｂａｎｎｅｒ）広告がある。バナー広告とは、人気のあるホームページの領域に特定のウェブサイト名やその内容を付して広報する広告方式である。バナー広告が出始めた頃は、矩形の枠内にドメインと事業内容を知らせるという単純な形態であったが、最近では、動画を入れたり、ホームページを開くと画面に固定配置される方式（画面をスクロールしても常に表示領域に配置される方式）などのように多様化している。
【０００３】
しかしながら、従来のインターネットを用いた広告方法およびその装置には、次のような問題点があった。
【０００４】
すなわち、インターネット広告として、バナー広告の古典的な方式だけが主に用いられることにより、インターネット広告の多様性および効率性が低いという問題点があった。
【０００５】
また、インターネット上の広告露出に寄与する任意のユーザに対して、インセンティブを付与するシステム自体が全く存在しておらず、インターネット上の広告伝播の展開が遅いという問題点があった。
【０００６】
さらに、ユーザが現在に視聴ないし利用しているサイトとバナー広告とに全く関連性がなく、インターネット広告に対するユーザの集中度を高めることができないという問題点があった。
【発明の開示】
【発明が解決しようとする課題】
【０００７】
本発明は、前記のような問題点を改善するために案出されたものであって、従来存在しなかった新しい方式のインターネット広告を導入し、インターネット広告の多様性および効率性を高めることができるＵＣＣ−広告スクリプトを用いた広告方法およびその装置を提供することを目的とする。
【０００８】
また、本発明は、インターネット上の広告露出に寄与したユーザ側にも、合理的な収益分配がなされるようにし、インターネット上の広告伝播がより迅速に活発化するように制御するＵＣＣ−広告スクリプトを用いた広告方法およびその装置を提供することを他の目的とする。
【０００９】
さらに、本発明は、ユーザの隠された意図を自動的に把握し、これに適合したインターネット広告を提供することができるＵＣＣ−広告スクリプトを用いた広告方法およびその装置を提供することをさらに他の目的とする。
【課題を解決するための手段】
【００１０】
前記の目的を達成し、従来技術の問題点を解決するために、本発明は、ＵＣＣが予め保存されたサーバに任意のＵＣＣの再生を要請する信号（ＵＣＣ再生要請）を送信するステップと、前記要請した任意のＵＣＣの再生が終了したか否かを判断するステップと、前記任意のＵＣＣの再生が終了したと判断された場合に、前記任意のＵＣＣに含まれたＵＣＣ−広告スクリプト（ｓｃｒｉｐｔ）を用いて、広告コンテンツが予め保存されたサーバに、任意の広告コンテンツの再生を要請する信号（広告コンテンツ再生要請）を送信するステップと、前記要請した任意の広告コンテンツを再生するステップとを含み、前記ＵＣＣ−広告スクリプトは、ＵＣＣの再生が終了した後に、広告コンテンツが自動的に再生されるように制御する命令信号を有することを特徴とするＵＣＣ−広告スクリプトを用いた広告方法を提供する。
【００１１】
前記広告方法は、前記要請した任意の広告コンテンツが、広告露出に寄与した程度を各ユーザ別に計算するステップと、前記計算結果に基づいて、広告露出に寄与した程度に比例した広告収益を前記各ユーザに割り当てるステップとをさらに含むことができる。
【００１２】
前記任意のＵＣＣの再生が終了したと判断された場合に、前記任意のＵＣＣに含まれたＵＣＣ−広告スクリプトを用いて、広告コンテンツを予め保存するサーバに任意の広告コンテンツの再生を要請する信号を送信する前記ステップは、前記任意のＵＣＣのタグ（ｔａｇ）情報を読み出すステップと、前記読み出されたタグ情報と同一又は類似したキーワードを有する広告コンテンツを検索するステップと、前記検索された特定コンテンツの再生を要請する信号を送信するステップとを含むことができる。
【００１３】
前記タグ情報は、前記ＵＣＣのタイトル、製作者、出演者、または登録時間のうちの少なくとも１つ以上を含むことができる。
【００１４】
前記要請した任意の広告コンテンツが、広告露出に寄与した程度を各ユーザ別に計算する前記ステップは、前記任意の広告コンテンツの再生回数またはスクラップ回数のうちの少なくとも１つ以上を用いて、前記寄与した程度を計算することができる。
【００１５】
前記要請した任意の広告コンテンツが、広告露出に寄与した程度を各ユーザ別に計算する前記ステップは、特定のウェブサイト上で前記広告コンテンツが再生された回数と、前記特定のウェブサイトからＵＣＣがスクラップされた他のすべての下位ウェブサイト上で前記広告コンテンツが再生された回数とを加算して、前記ユーザの寄与度を計算することができる。
【００１６】
前記目的を達成するために、本発明は、前記方法をコンピュータで実行するためのプログラムを記録するコンピュータ読み取り可能な記録媒体を提供する。
【００１７】
また、前記目的を達成するために、本発明は、ＵＣＣを予め保存するサーバに任意のＵＣＣの再生を要請する信号を送信する第１送信部と、前記要請した任意のＵＣＣの再生が終了したか否かを判断する判断部と、前記結果が終了したと判断された場合に、前記任意のＵＣＣに含まれたＵＣＣ−広告スクリプトを用いて、広告コンテンツを予め保存するサーバに、任意の広告コンテンツの再生を要請する信号を送信する第２送信部と、前記要請した任意の広告コンテンツを再生する再生部とを含み、前記ＵＣＣ−広告スクリプトは、ＵＣＣの再生が終了した後に、広告コンテンツが自動的に再生されるように制御する命令信を有することを特徴とするＵＣＣ−広告スクリプトを用いた広告装置を提供する。
【発明の効果】
【００１８】
本発明によれば、インターネット広告の多様性及び効率性を高めることができ、また、広告インベントリが拡張され、新しい収益源の創出が可能となる。
【００１９】
また、本発明によれば、インターネット上の広告露出に寄与したユーザ側にも、合理的な収益分配がなされ、インターネット上の広告伝播がより迅速に活発化するように制御することができる。また、ＵＣＣの生産及び伝播も促進される。
【００２０】
また、本発明によれば、ユーザの隠された意図を自動的に把握し、これに適合したインターネット広告を提供することができる。
【００２１】
さらに、本発明は、別途のサーバを追加せずに、ＵＣＣにスクリプトを付加して実現することができるため、資源（リソース）の効率性が優れているという長所がある。
【発明を実施するための最良の形態】
【００２２】
以下、添付の図面に基づき、本発明の好適な実施の形態を詳細に説明するが、本発明がこれらの実施形態によって制限または限定されることはない。図中、同じ参照符号は同じ部材を示している。
【００２３】
なお、本発明を説明するに先立ち、関連した公知機能または構成につての具体的な説明が本発明の要旨を不明確にすると判断される場合には、その詳細な説明は省略する。また、本明細書で用いられる用語は、本発明の好ましい実施形態を適切に表現するために用いられた用語であり、これは、ユーザや運用者の意図、または本発明が属する分野の慣例などによって異なる場合がある。したがって、本用語の定義は、本明細書の全般に渡って記載された内容に基づいて把握されるべきである。
【００２４】
図１は、本発明に係るＵＣＣ−広告スクリプトを用いた広告システムの構成を示したブロック図である。以下、図１を参照ながら、本発明に係るＵＣＣ−広告スクリプトを用いた広告システムの構成について説明する。
【００２５】
ここで、ＵＣＣとは、「Ｕｓｅｒ  Ｃｒｅａｔｅｄ  Ｃｏｎｔｅｎｔｓ」の略語であり、使用者製作コンテンツを意味する。外国では、ＵＣＣの代りに、ＵＧＣ（Ｕｓｅｒ  Ｇｅｎｅｒａｔｅｄ  Ｃｏｎｔｅｎｔｓ）と言う用語を用いたりもする。ＵＣＣとは、ネチズン（Ｎｅｔｉｚｅｎ：Ｎｅｔｗｏｒｋ  Ｃｉｔｉｚｅｎの略語）が直接製作した動画や写真物（静止画等）などの著作物を意味しており、本発明では、ＵＣＣに広告を組み合わせて共に表示し、広告を迅速に伝播させる。
【００２６】
ＵＣＣを製作した第１ユーザ１００は、ＵＣＣサーバ１０１に、製作したＵＣＣをアップロードしておく。なお、ＵＣＣサーバ１０１は、ＵＣＣのみを保存することもできるし、他のデータも共に保存することができる任意のサーバとして構成することができる。
【００２７】
第２ユーザ１０９が、ＵＣＣサーバ１０１に保存された任意のＵＣＣを再生しようとする場合に、第１送信部１０６は、任意のＵＣＣの再生を要請する信号（Request signal for plaing UCC）をＵＣＣサーバ１０１に送信する。この再生要請信号に応答してＵＣＣサーバ１０１から送信された任意のＵＣＣを、ウェブサーバ１０５を介して再生する。判断部１０７は、第２ユーザ１０９が要請した任意のＵＣＣの再生が終了したか否かを判断する。
【００２８】
判断部１０７の判断結果、ＵＣＣの再生が終了した場合に、第２送信部１０８は、任意のＵＣＣに含まれたＵＣＣ−広告スクリプトを用いて、ＡＤサーバ１０２に、任意の広告コンテンツの再生を要請する信号（Request signal for plaing Advertisement）を送信する。なお、ＡＤサーバ１０２は、広告コンテンツのみを保存することもでき、また、他のデータも共に保存することが可能な任意のサーバとして構成することができる。ここで、本発明のＵＣＣ−広告スクリプトには、ＵＣＣの再生が終了した後に、広告コンテンツが自動的に再生されるように制御する機能が含まれる。すなわち、本発明のＵＣＣ−広告スクリプトは、ＵＣＣの再生と連動して広告コンテンツが自動的に再生されるように制御する命令信号を含むように構成されている。なお、このような名称で本発明の権利範囲が制限されるのではなく、この名称は一例に過ぎない。さらに、ＵＣＣ−広告スクリプトは、ＵＣＣが最初に生成される過程においてＵＣＣに挿入されるように構成することもでき、また、特定のウェブサイト上で再生される過程においてＵＣＣに挿入されるように構成することができる。
【００２９】
また、本発明の第１送信部１０６、判断部１０７及び第２送信部１０８は、第２ユーザ１０９のコンピュータ（少なくとも通信機能及び演算機能を有するパーソナルコンピュータ等）に予め設定されたプログラム等で実現することができ、また、ウェブサーバ１０５を介してリアルタイムで提供することもできる。
【００３０】
したがって、第２ユーザ１０９がコンピュータ等を用いてウェブサーバ１０５に接続した場合に、第１ユーザ１００が製作したＵＣＣだけではなく、任意の広告コンテンツも共に自動的に視聴するようになるため、より自然に多数のユーザに広告を露出させることができるとともに、広告やＵＣＣなどの伝播がより迅速になされ、インターネット上での広告の効率性を高めることができる。また、別途のサーバを追加せずに、スクリプトを用いて本発明を実現できるため、サーバ資源の効率性が優れているという効果もある。
【００３１】
一方、本発明の他の一特徴としては、広告コンテンツをモニタリング（ｍｏｎｉｔｏｒｉｎｇ）し、広告露出に寄与した程度（寄与度）をユーザ別にチェックすることで、各ユーザに対しても合理的に広告収益を割り当てることができるシステムを提供する。図１に示すように、計算部１０３は、広告コンテンツがウェブサーバ１０５で再生される程度などをチェックする。例えば、ユーザによる再生回数、再生時間、スクラップ回数、スクラップ経路などに対する情報をデータベース（Ｄａｔａ  Ｂａｓｅ）やメモリなどに保存させる。また、制御部１０４は、計算部１０３の計算結果に基づいて、広告露出に寄与した程度に比例して、少なくとも１人以上のユーザに広告収益を配分する。ここで、合理的に広告収益を配分する方法については、図２、図４、および図５を参照しながら、より詳しく説明する。
【００３２】
また、本発明のさらに他の一特徴としては、ＡＤサーバ１０２がウェブサーバ１０５に広告コンテンツを送信する過程において、単に任意のコンテンツをウェブサーバ１０５に送信するのではなく、ＵＣＣの特徴を自動的に把握した上で、ユーザに最適な広告コンテンツを提供する。
【００３３】
図１では図示していないが、ＵＣＣがユーザのコンピュータからアップロードされる過程において、ＵＣＣのタイトル、製作者、出演者、登録時間などの付加情報が当該ＵＣＣと共にアップロードされるように構成される。このような付加情報は、ＵＣＣのタグ情報として用いられる。本発明に係るＡＤサーバ１０２は、各広告コンテンツに対するキーワードをデータベースで管理し、ＵＣＣのタグ情報と同一又は類似したキーワードを有する広告コンテンツを読み出すことができる。これにより、読み出された特定の広告コンテンツをＵＣＣに結合することができる。したがって、ユーザの立場では、自分が視聴したいＵＣＣとの関連性が高い広告コンテンツをＵＣＣに続いて視聴することができるため、広告コンテンツに対する集中度を大幅に向上させることができる本発明特有の効果が期待される。
【００３４】
例えば、第１ユーザ１００がＵＣＣをＡＤサーバ１０２にアップロードしながら、このＵＣＣに「学生・・・」というタイトルをタグとして付与した場合に、ＡＤサーバ１０２は、学生と関連したキーワードを有する広告コンテンツをウェブサーバ１０５に提供する。これにより、ユーザの立場では、学生と関連したＵＣＣの後に、学生と関連した広告コンテンツをすぐに視聴できることになる。このように、学生と関連したキーワードを有する広告コンテンツは、例えば、学生服広告コンテンツなどがある。図３に示すように、特定のウェブサーバを介して、ＵＣＣ及びこのＵＣＣと関連した広告コンテンツが連続的に再生される。
【００３５】
図２は、本発明に係るＵＣＣ−広告スクリプトを用いた広告方法及びその装置が、ユーザに広告収益を分配する流れを示した図である。以下、図２を参照しながら、本発明に係るＵＣＣ−広告スクリプトを用いた広告方法及びその装置が、ＵＣＣ製作者、ウェブサイト運営者、又はＵＣＣをスクラップしたユーザに広告収益を配分する基本的な原理を説明する。
【００３６】
図２に示すように、第１ユーザは、任意のＵＣＣをＡ−１ウェブサイトに最初にアップロードする（ステップＳ２０１）。すなわち、第１ユーザは、ＵＣＣ製作者である。Ａ−１ウェブサイトは、例えば、ポスト、ブログ、グループなどである。Ａ−１ウェブサイトを介して、ＵＣＣ及び第１広告が再生される（ステップＳ２０２）。ここで、第１広告の露出に寄与した者は、第１ユーザと、Ａ−１ウェブサイトを管掌するＡウェブサイトの運営者であるため、広告収益のうちの一部は、第１ユーザとＡウェブサイトの運営者とに一定の割合で分けられて割り当てられる（ステップＳ２０３）。
【００３７】
また、第２ユーザは、ＵＣＣ及び第１広告を視聴した後（ステップＳ２０４）に、これをスクラップして、Ａ−２ウェブサイトに再びアップロードすることができる（ステップＳ２０５）。すなわち、第２ユーザは、ＵＣＣをスクラップしたユーザである。Ａ−２ウェブサイトも、例えば、ポスト、ブログ、グループなどである。Ａ−２ウェブサイトを介して、ＵＣＣ及び第２広告が再生される（ステップＳ２０６）。もちろん、第１広告と第２広告は、同じ広告でもあってもよく、また、他の広告になるように構成することも可能である。ここで、第２広告の露出に寄与した者は、第１ユーザと、Ａ−２ウェブサイトを管掌するＡウェブサイト運営者と、第２ユーザであるため、広告収益のうちの一部は、第１ユーザと、Ａウェブサイトの運営者と、第２ユーザとに一定の割合で分けられて割り当てられる（ステップＳ２０７）。
【００３８】
図４は、本発明に係るＵＣＣ−広告スクリプトを用いた広告方法及びその装置が、寄与度に応じて多数のユーザに広告収益を分配する方法の一例を示した図である。また、図５は、本発明に係るＵＣＣ−広告スクリプトを用いた広告方法及びその装置が、寄与度に応じて多数のユーザに広告収益を分配する方法の他の一例を示した図である。より具体的に説明すると、図４は、各ユーザが広告コンテンツの広告露出に寄与した程度を示しており、図５は、図４の結果に基づいて、各ユーザに割り当てられる広告収益額を示している。以下、図４および図５を参照しながら、寄与度に応じて多数のユーザに広告収益を分配する方法について説明する。
【００３９】
図４に示すように、第１ユーザは、任意のＵＣＣを製作して特定のポスト（ｐｏｓｔ）に最初にアップロードした者であり、第２ユーザ〜第１１ユーザは、アップロードされたＵＣＣをスクラップした者である。ここで、スクラップとは、特定のウェブサイトにアップロードされたＵＣＣを他のウェブサイトに複写してアップロードする行為を意味する。さらに、「Ｉｔｓｅｌｆ」と表示された部分の数値は、自分のポストを介して広告が露出された程度（Ｉｔｓｅｌｆ広告露出度）を示しており、「Ｃｈｉｌｄ」と表示された部分の数値は、自分のポストを媒介体としてスクラップしたポストを介して広告が露出された程度（Ｃｈｉｌｄ広告露出度）を示している。また、広告が露出された程度は、例えば、広告コンテンツが再生された回数に基づいて定めることができ、当該広告が露出された程度は、当業者の観点において任意の情報に基づいて定めることが可能である。
【００４０】
また、任意のユーザが広告露出に寄与した程度は、「Ｉｔｓｅｌｆ」の数値と「Ｃｈｉｌｄ」の数値とを加算する方式で定めることができる。したがって、図４において、第１ユーザの寄与度は、「５，０００，０００」と計算され、第２ユーザの寄与度は、「１，９９０，０００」と計算されている。すなわち、ＵＣＣを製作した者は、下位層のユーザが広告露出に寄与した部分に対しても、一定した寄与度の割り当てを受けるため、最初にアップロードされたポストを介してＵＣＣが再生される場合が相対的に少なくても、ＵＣＣを製作した者に最も高い比重の広告収益が分配されるという合理的な結果を得ることができる。
【００４１】
さらに、第１ユーザ〜第１１ユーザに具体的に割り当てられる広告収益は、図５のように定められる。例えば、全体ユーザに割り当てられた広告収益を１５，０００，０００ウォンと仮定する。このとき、各ユーザに割り当てられる広告収益を計算する方法は、｛（各ユーザが広告露出に寄与した程度）／（全ユーザが広告露出に寄与した程度）｝×（全体ユーザに割り当てられた広告収益）で計算される。
【００４２】
例えば、第１ユーザに割り当てられた広告収益は、５，６６０，３７７ウォン（（５，０００，０００／１３，２５０，０００）×１５，０００，０００ウォン）と計算され、第２ユーザに割り当てられた広告収益は、２，２５２，８３０ウォン（（１，９９０，０００／１３，２５０，０００）×１５，０００，０００ウォン）と計算される。
【００４３】
なお、図示してはいないが、ＵＣＣを製作又はスクラップすることで、ＵＣＣのアップロードが行われるが、このアップロードは、特定のウェブサイトのサーバを介してなされるので、特定のウェブサイト運営者側にも、ユーザ全体に割り当てられる広告収益と同じ広告収益が配分されるように設定することもできる。
【００４４】
図４は、本発明に係るＵＣＣ−広告スクリプトを用いた広告方法およびその装置が、寄与度によって多数のユーザに広告収益を分配する方法の一例である。また、図６は、本発明に係るＵＣＣ−広告スクリプトを用いた広告方法及びその装置が、寄与度によって多数のユーザに広告収益を分配する方法のさらに他の一例である。より具体的に説明すると、図４は、各ユーザが広告コンテンツの広告露出に寄与した程度（広告露出寄与度）を示しており、図６は、図４の結果に基づいて、各ユーザに割り当てられる広告収益額を示している。以下、図４及び図６を参照しながら、寄与度によって多数のユーザに広告収益を分配する方法について説明する。
【００４５】
図６の一例は、上述の図５とは異なり、広告露出に行使した影響力の他に、スクラップ自体にも個別に収益を分配している。また、図５の実施形態のように、特定のウェブサイトからＵＣＣがスクラップされた他のすべての下位ウェブサイトを考慮するものとは異なり、当該図６の実施形態は、特定のウェブサイトからＵＣＣが直接スクラップされた下位ウェブサイトのみを考慮している。
【００４６】
図４に示した第１〜第１１ユーザに具体的に割り当てられる広告収益は、図６のように定められる。図６に示された広告収益の分配は、各ユーザ別に、広告露出による収益分配と、スクラップがなされる回数に応じた収益分配との合算として計算される。より具体的に例を挙げれば、次の通りとなる。
【００４７】
図６の第１ユーザの広告露出による収益分配の金額は、次のような数式によって決定される。
【００４８】
【数１】
2008282401.tif 000003
【００４９】
上記の数式１に対応する具体的な数値を代入すると、次の通りとなる。
【００５０】
７，２００，０００＝｛（５００，０００×６）＋（４００，０００×６×７０％）＋（６００，０００×６×７０％）｝
【００５１】
なお、このように求められた第１ユーザの広告露出による収益分配の金額は、特定のウェブサイトの運営者側と１対１で分配されるように構成されているため、実質的に第１ユーザに割り当てられる広告露出による収益分配の金額は、半分の３，６００，０００ウォンになる。
【００５２】
また、図６の第１ユーザに対するスクラップ（複写）がされる回数に応じた収益分配の金額は、次のような数式によって決定される。
【００５３】
【数２】
2008282401.tif 000004
【００５４】
上記の数式２に対応する具体的な数値を代入すると、次の通りとなる。
【００５５】
１４，４００＝｛（２×３，０００）＋（２×３，０００×７０％）＋（２×３，０００×７０％）｝
【００５６】
なお、このように求められた第１ユーザに対するスクラップがなされる回数による収益分配の金額は、特定のウェブサイトの運営者側と１対１で分配されるように構成されるため、実質的に第１ユーザに割り当てられるスクラップがなされる回数による収益分配の金額は、７，２００ウォンになる。
【００５７】
したがって、上記のように計算された第１ユーザに割り当てられる広告露出による収益分配金額（３，６００，０００ウォン）と、上記のように計算された第１ユーザに対するスクラップがなされる回数による収益分配金額（７，２００ウォン）とを合算し、最終的に第１ユーザに割り当てられる収益分配金額は、図６に示したように、３，６０７，２００ウォンとなる。
【００５８】
一方、図６の第２ユーザの広告露出による収益分配の金額は、次のような数式によって決定される。
【００５９】
【数３】
2008282401.tif 000005
【００６０】
上記の数式３に対応する具体的な数値を代入すると、次の通りとなる。
【００６１】
７，０２０，０００＝｛（４００，０００×６×３０％）＋（５００，０００×６×７０％）＋（１，０００，０００×６×７０％）｝
【００６２】
なお、このように求められた第２ユーザの広告露出による収益分配の金額は、特定のウェブサイトの運営者側と１対１で分配されるように構成されるため、実質的に第２ユーザに割り当てられる広告露出による収益分配の金額は、３，５１０，０００ウォンになる。
【００６３】
また、図６に示された第２ユーザに対するスクラップがなされる回数に応じた収益分配の金額は、次のような数式によって決定される。
【００６４】
【数４】
2008282401.tif 000006
【００６５】
上記の数式４に対応する具体的な数値を代入すると、次の通りとなる。
【００６６】
６，０００＝｛（２×３，０００×３０％）＋（１×３，０００×７０％）＋（１×３，０００×７０％）｝
【００６７】
なお、このように求められた第２ユーザに対するスクラップがなされる回数による収益分配の金額は、特定のウェブサイトの運営者側と１対１で分配されるように構成されるため、実質的に第２ユーザに割り当てられるスクラップがなされる回数による収益分配の金額は、３，０００ウォンになる。
【００６８】
したがって、上記のように計算された第２ユーザに割り当てられる広告露出による収益分配金額（３，５１０，０００ウォン）と、上記のように計算された第２ユーザのスクラップがなされる回数による収益分配金額（３，０００ウォン）とを合算し、最終的に第２ユーザに割り当てられる収益分配金額は、図６に示されたように、３，５１３，０００ウォンになる。
【００６９】
すなわち、図６に示した実施形態によれば、直接スクラップがなされるサイトの寄与度を、上位サイトと下位サイトが一定の割合によって分けることで、より合理的な収益分配が期待される。さらに、スクラップ回数に対しても広告露出による収益とは別途の収益を分配するため、スクラップに該当するサイトのユーザ側にも、容認する程度の合理的な結果を導き出せる。
【００７０】
なお、図６の説明において、様々な数値を例示して説明したが、これは一例に過ぎず、本発明の権利範囲は、特許請求の範囲によって解釈されなければならない。
【００７１】
図７は、本発明に係るＵＣＣ−広告スクリプトを用いた広告方法を説明するためのフローチャートである。以下、図７を参照しながら、本発明に係るＵＣＣ−広告スクリプトを用いた広告方法について説明する。なお、図７は、上述した図１〜図６についての説明を時系列的な流れに沿って記述したものであり、詳細な説明を省略しても、当業者であれば、図１〜図６の説明を用いて、図７を容易に理解できるであろう。
【００７２】
任意のユーザは、ＵＣＣを生成する（ステップＳ７０１）。ここで、ＵＣＣとは、デジタルカメラ、カムコーダ、携帯電話などで撮影した静止画像または動画像であり、また、これらの画像を編集した編集画像も含まれる。次に、生成されたＵＣＣを特定のウェブサイトにアップロードする（ステップＳ７０２）。ここで、特定のウェブサイトとは、例えば、インターネットポータルサイトなどである。ＵＣＣを再生する命令（ＵＣＣ再生要求）があった場合、ＵＣＣを再生した後に、広告コンテンツが共に再生する（ステップＳ７０３）。なお、この再生順序は、任意に変更することができ、例えば、広告コンテンツが再生された後に、ＵＣＣを再生するように構成することもできる。
【００７３】
次に、広告の露出に寄与した情報をユーザ別に計算する（ステップＳ７０４）。ここで、ユーザとは、ＵＣＣ製作者を始めとして、これをスクラップしたユーザなどを含むことができる。さらに、計算の結果に基づいて、各ユーザ別に広告収益を分配する（ステップＳ７０５）。
【００７４】
なお、本発明に係る実施形態のＵＣＣ−広告スクリプトを用いた広告方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。
【００７５】
上述したように、本発明を好ましい実施形態に則して説明したが、本発明の属する技術分野において熟練した当業者にとっては、特許請求の範囲に記載された本発明の技術的思想およびその領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【００７６】
【図１】本発明に係るＵＣＣ−広告スクリプトを用いた広告システムの構成を示したブロック図である。
【図２】本発明に係るＵＣＣ−広告スクリプトを用いた広告方法およびその装置が、ユーザに広告収益を分配する流れを示した図である。
【図３】本発明に係るＵＣＣ−広告スクリプトを用いた広告方法およびその装置が、ＵＣＣと広告コンテンツとを連関付けて表示する様子を示した図である。
【図４】本発明に係るＵＣＣ−広告スクリプトを用いた広告方法およびその装置が、寄与度によって多数のユーザに広告収益を分配する方法の一例を示した図である。
【図５】本発明に係るＵＣＣ−広告スクリプトを用いた広告方法およびその装置が、寄与度によって多数のユーザに広告収益を分配する方法の他の一例を示した図である。
【図６】本発明に係るＵＣＣ−広告スクリプトを用いた広告方法およびその装置が、寄与度によって多数のユーザに広告収益を分配する方法のさらに他の一例を示した図である。
【図７】本発明に係るＵＣＣ−広告スクリプトを用いた広告方法を説明するためのフローチャートである。
【符号の説明】
【００７７】
１００：第１ユーザ
１０１：ＵＣＣサーバ
１０２：ＡＤサーバ
１０３：計算部
１０４：制御部
１０５：ウェブサーバ
１０６：第１送信部
１０７：判断部
１０８：第２送信部
１０９：第２ユーザ
【図１】
2008282401.tif 000007
【図２】
2008282401.tif 000008
【図３】
2008282401.tif 000009
【図４】
2008282401.tif 000010
【図５】
2008282401.tif 000011
【図６】
2008282401.tif 000012
【図７】
2008282401.tif 000013